(57)【要約】スクロールバックライト装置は、複数のライトガイドと、出力電圧を供給するように適合された電源と、複数の微小光エンジンであって、出力電圧を供給されるとき、ライトガイドの１つに光を供給するように各々が適合されている、複数の微小光エンジンと、複数の光ガイドに光を連続的に供給するために微小光エンジンに電力信号を選択的に接続するように適合された複数のスイッチとを有する。水平方向に広がったライトガイドは垂直方向に隣り合って配列されている。制御器は、反復スクロール方式でその装置の上部から下部にライトガイドを連続的に照明するように微小光エンジンを連続的にアクティブにする。微小光エンジンは、発光ダイオードのような電子式光源を有する。
2006510930.tif 000002
【特許請求の範囲】
【請求項１】
第１方向に沿って並列化された複数のライトガイドであって、該ライトガイドの各々は、第１方向に対して実質的に垂直な第２方向において長手方向に伸びている、ライトガイド；
電力信号を供給するように適合された電源；
複数の微小光エンジンであって、該微小光エンジンの各々は、該微小光エンジンが前記電力信号を供給されるときに、光を生成するように適合された電子式光源と、前記ライトガイドの対応する１つの端部に電子式光源により生成された光を結合させるように適合された光結合デバイスとを有する、複数の微小光エンジン；
前記微小光エンジンに前記電力信号を選択的に接続させるように適合された複数のスイッチ；並びに
前記微小光エンジンの各々に前記電力信号を連続的に接続させるために前記の複数のスイッチを制御するように適合された制御手段であって、その制御に応じて、前記微小光エンジンは前記の複数のライトガイドに光を連続的に供給する、制御手段；
を有することを特徴とするスクロールバックライト装置。
【請求項２】
請求項１に記載のスクロールバックライト装置であって、複数の第２微小光エンジンを更に有する、スクロールバックライト装置であり、該第２微小光エンジンの各々は：
前記微小光エンジンが前記電力信号を供給されるとき、光を生成するように適合された電子式光源；及び
対応する前記ライトガイドの１つの第２反部に前記電子式光源により生成された光を結合するように適合された光結合器；
を有する、ことを特徴とするスクロールバックライト装置。
【請求項３】
請求項１に記載のスクロールバックライト装置であって、前記電子式光源は発光ダイオードを有する、ことを特徴とするスクロールバックライト装置。
【請求項４】
請求項１に記載のスクロールバックライト装置であって、前記電子式光源は：
赤色光を生成する第１発光ダイオード（ＬＥＤ）；
緑色光を生成する第２発光ダイオード（ＬＥＤ）；及び
青色光を生成する第３発光ダイオード（ＬＥＤ）；
を有する、ことを特徴とするスクロールバックライト装置。
【請求項５】
請求項１に記載のスクロールバックライト装置であって、前記電子式光源は、黄色の蛍光体で覆われた青色発光ダイオード（ＬＥＤ）を有する、ことを特徴とするスクロールバックライト装置。
【請求項６】
複数のライトガイド；
電力信号を供給するように適合された電源；
前記電力信号を供給されるとき、前記ライトガイドの１つに光を供給するように各々適合された複数の微小光エンジン；及び
前記の複数のライトガイドに光を連続的に供給するために前記微小光エンジンに前記電力信号を選択的に接続するように適合された複数のスイッチ；
を有することを特徴とするスクロールバックライト装置。
【請求項７】
請求項６に記載のスクロールバックライト装置であって、前記微小光エンジンは発光ダイオード（ＬＥＤ）を有する、ことを特徴とするスクロールバックライト装置。
【請求項８】
請求項６に記載のスクロールバックライト装置であって、前記微小光エンジンの各々は：
赤色光を生成する第１発光ダイオード（ＬＥＤ）；
緑色光を生成する第２発光ダイオード（ＬＥＤ）；及び
青色光を生成する第３発光ダイオード（ＬＥＤ）；
を有する、ことを特徴とするスクロールバックライト装置。
【請求項９】
請求項６に記載のスクロールバックライト装置であって、前記ライトガイドは各々、水平方向に広がり、そして垂直方向に線形に間隔を置いて離れている、ことを特徴とするスクロールバックライト装置。
【請求項１０】
請求項９に記載のスクロールバックライト装置であって、上部から下部の垂直方向に連続的に前記ライトガイドを照明するように前記複数のスイッチを制御するための手段を更に有する、ことを特徴とするスクロールバックライト装置。
【請求項１１】
請求項６に記載のスクロールバックライト装置であって、前記複数のスイッチはトランジスタを有する、ことを特徴とするスクロールバックライト装置。
【請求項１２】
請求項６に記載のスクロールバックライト装置であって、前記複数の微小光エンジンは、前記複数のライトガイドの対応する１つの水平方向の端部に配置されている、ことを特徴とするスクロールバックライト装置。
【請求項１３】
請求項６に記載のスクロールバックライト装置であって、存在するライトガイドの２倍の数の微小光エンジンが存在し、前記複数の微小光エンジンは前記複数のライトガイドの１つの水平方向の端部に配置されている、ことを特徴とするスクロールバックライト装置。
【請求項１４】
複数のライトガイド；
光を生成するように各々適合された複数の電子式光源；及び
前記複数のライトガイドに前記電子式光源からの光を連続的に供給するための手段；
を有することを特徴とするスクロールバックライト装置。
【請求項１５】
請求項１４に記載のスクロールバックライト装置であって、前記電子式光源の各々は発光ダイオードを有する、ことを特徴とするスクロールバックライト装置。
【請求項１６】
請求項１４に記載のスクロールバックライト装置であって、各々電子式光源は：
赤色光を生成する第１発光ダイオード（ＬＥＤ）；
緑色光を生成する第２発光ダイオード（ＬＥＤ）；及び
青色光を生成する第３発光ダイオード（ＬＥＤ）；
を有する、ことを特徴とするスクロールバックライト装置。
【請求項１７】
請求項１４に記載のスクロールバックライト装置であって、前記電子式光源は、黄色の蛍光体で覆われた青色発光ダイオード（ＬＥＤ）を有する、ことを特徴とするスクロールバックライト装置。
【請求項１８】
請求項１４に記載のスクロールバックライト装置であって、前記複数のライトガイドに前記電子式光源からの光を連続的に供給するための前記手段は：
前記電子式光源を選択的にアクティブ及び非アクティブにするための手段；並びに
前記複数のライトソースに前記電子式光源からの光を結合させるように適合された光結合器；
を有する、ことを特徴とするスクロールバックライト装置。
【請求項１９】
請求項１８に記載のスクロールバックライト装置であって、前記電子式光源を選択的にアクティブ及び非アクティブにするための前記手段は、前記ライトソースに電力信号を選択的に供給する複数のトランジスタを有する、ことを特徴とするスクロールバックライト装置。
【請求項２０】
請求項１９に記載のスクロールバックライト装置であって、前記ライトソースに前記電力信号を選択的に供給するために前記複数のトランジスタの接続／切断を制御する制御器を更に有する、ことを特徴とするスクロールバックライト装置。
【発明の詳細な説明】
【技術分野】
【０００１】
本発明は、一般に、バックライトの分野に関し、特に、テレビジョン又は他の動的映像画像を表示するための液晶ディスプレイのような液晶ディスプレイと共に使用するために十分に適合された、スクロールバックライトに関する。
【背景技術】
【０００２】
バックライト装置は、特に、薄膜トランジスタＬＣＤ（ＴＦＴ−ＬＣＤ）のような液晶ディスプレイ（ＬＣＤ）装置を有する種々の映像ディスプレイ装置に関連して、一般に用いられている。そのようなバックライト装置は、実質的に、ディスプレイの視認性を向上させることができる。
【０００３】
一方、動きアーチファクトは、ＬＣＤのような、幾つかの種類のディスプレイにおける一般的な問題である。動きアーチファクトは、特定の表示装置が速い動きの対象物又は人（例えば、運動競技イベント等）のような、速く変化しているピクチャを表す映像情報を表示しようとするときに生じる。そのような動きアーチファクトは、特に、ＬＣＤ受信器又はモニタのような、テレビジョン又は他の動的映像画像を表示するＬＣＤ装置において
生じ得る。
【０００４】
そのような動きアーチファクトの知覚性を緩和するために、種々の技術が提案されてきた。動きアーチファクトの知覚性を緩和するための１つの技術は、スクロールバックライト装置を使用することである。
【０００５】
従って、動きアーチファクトを生じやすいディスプレイ装置であって、例えば、テレビジョン又は他の動的映像画像（を表示するＬＣＤ装置例えば、ＬＣＤ  ＴＶ受信器又はモニタ）は、スクロールバックライト装置の供給を受けることが可能である。
【０００６】
典型的には、そのようなスクロールバックライト装置は、ディスプレイの可視幅において水平方向に広がり、垂直方向に並列化されている、ディスプレイ直後の複数の冷陰極蛍光ランプ（ＣＣＦＬ）を有する。例えば、１５インチＬＣＤ装置のためのスクロールバックライト装置は、６乃至８個の水平方向に広がったＣＣＦＬの集合を有することが可能であり、ＣＣＦＬは、ＬＣＤの後ろ側において垂直方向に並列に並べられている（互いに隣り合っている）。そのようなスクロールバックライト装置の動作について、ここで、例示としてのＬＣＤ装置に関連付けて説明する。
【０００７】
周知であるように、典型的なＬＣＤは、数百（例えば、１２００）の水平方向のライン又は行を有し、そして、各々の行は、対応する列の数に配列された複数の画素（例えば、１６００画素）を有する。そのようなディスプレイにおいて画像を表示するために、映像信号が、ディスプレイの上部から下部へと行毎に垂直方向に走査される。即ち、映像フレーム中、画素の各々の行は、行の状態に複数の画素に映像データを書き込むためにディスプレイの上部から下部に順次アクティブにされる。１つの水平ラインインタバル中、行の画素全てに映像データを書き込んだ後、その行は非アクティブにされ、その行における画素は、次のフレームまで映像データを記憶する一方、新しい映像データが、ディスプレイの残りの行に、順次、書き込まれる。
【０００８】
動きアーチファクトの影響を緩和するために、ＬＣＤ装置は、複数の垂直方向に並列に並べられたＣＣＦＬの１つのみがいつでも照明されるように、通常、動作するスクロールバックライト装置を有することが可能である。例えば、最上部ＣＣＦＬは、短い期間の間、先ず、照明されることが可能である。次いで、最上部ＣＣＦＬはオフにされる一方、同時に、最上部ＣＣＦＬのすぐ下の次の上部ＣＣＦＬがオンにされる。次の上部ＣＣＦＬは、その同じ短い期間の間、オンのまま保たれ、次いで、それは又、オフにされ、それに代えて、そのすぐ下のＣＣＦＬがオンにされ、以下同様に、その装置の上部から下部に繰り返される。最下部のＣＣＦＬが同じ短い期間の間、照明された後、そのＣＣＦＬはオフにされる一方、同時に、最上部ＣＣＦＬがオンにされ、そのパターンが繰り返される。これはスクロール効果をもたらし、スクロールバックライト装置は、ディスプレイの背後で上部から下部にスクロールされる。
【０００９】
従って、そのようなクローリングバックライト装置を使用することにより、ＬＣＤの画素の行の一部（例えば、１／８）のみが、通常、照明される。クローリングバックライト装置のスクロール速度は人間の視覚システムに対する応答時間より速く（例えば、毎秒３０回のＣＣＦＬの全体的セットによるスクロールに）設定され、スクロール効果自体は人間の眼には視覚的に知覚可能ではない。しかしながら、同時に、ディスプレイラインのスクロール照明は又、ディスプレイにおける動きアーチファクトの知覚性を緩和するようにする。
【００１０】
残念ながら、そのようなスクロールバックライト装置には問題点がある。第１に、最初に発光されなければならないＣＣＦＬをオンにするために、遅延期間の後、光強度は、所望の輝度レベルまでランプアップする。従って、ＣＣＦＬの応答時間は、典型的には、遅い（例えば、１乃至１０ｍｓｅｃ）。これは、望ましい、速いスクロール速度を得ること困難にしている。第２に、ＣＣＦＬは、ディスプレイのすぐ背後に位置された実質的な熱源に相当する。そのような熱は、ディスプレイの性能及び／又は信頼性を劣化させ得る。第３に、ディスプレイの背後に置かれたＣＣＦＬは、ディスプレイの適切な動作と干渉する電磁放射をもたらす。従って、電磁干渉（ＥＭＩ）遮蔽が、代表的に使用される。そのようなＥＭＩ遮蔽は、ディスプレイ装置に好ましくないコスト、重さ、サイズの増大及び複雑性を追加する。第４に、ＣＣＦＬは、電源出力のスイッチングの容易化に逆行する高電圧電源を必要とする。それ故、各々のＣＣＦＬは、一般に、それ自体個別に調節される電力変換器を必要とする。例えば、１５インチＬＣＤ装置に対するＣＣＦＬに基づくスクロールバックライトは、６乃至８個の電力変換器を必要とする。又、このことは、ディスプレイ装置に好ましくないコスト、重さ、サイズの増大及び複雑性を追加する。
【発明の開示】
【発明が解決しようとする課題】
【００１１】
従って、改善されたスクロールバックライト装置であって、特に、より速いスクロース速度で動作することが可能なスクロールバックライト装置を備えることは好ましいことである。又、ディスプレイのすぐ背後において、熱の発生が少ないスクロールバックライト装置を備えることは好ましいことである。ディスプレイのすぐ背後にＥＭＩ放射の少ないスクロールバックライト装置を備えることは、更に好ましいことである。多数の電力変換器の必要性を削減させるスクロールバックライト装置を備えることは、更に好ましいことである。本発明は、１つ又はそれ以上の上記の問題点に対処することを目的とする。
【課題を解決するための手段】
【００１２】
本発明の一特徴においては、スクロールバックライト装置は：
第１方向に沿って並列化された複数のライトガイドであって、それらライトガイドの各々は、第１方向に対して実質的に垂直な第２方向において長手方向に伸びている、ライトガイド；
電力信号を供給するように適合された電源；
複数の微小光エンジンであって、それら微小光エンジンの各々は、微小光エンジンが出力電圧を供給されるときに、光を生成するように適合された電子式光源と、ライトガイドの対応する１つの端部に発光ダイオードにより生成された光を結合させるように適合された光結合デバイスとを有する、微小光エンジン；
微小光エンジンに出力電圧を選択的に接続させるように適合された複数のスイッチ；並びに
微小光エンジンの各々に出力電圧を連続的に接続させるために複数のスイッチを制御するように適合された制御手段であって、その制御に応じて、微小光エンジンは複数のライトガイドに光を連続的に供給する、制御手段；
を有する。
【００１３】
本発明の他の特徴においては、スクロールバックライト装置は：
複数のライトガイド；
出力電圧を供給するように適合された電源；
出力電圧を供給されるとき、ライトガイドの１つに光を供給するように各々適合された複数の微小光エンジン；並びに
複数のライトガイドに光を連続的に供給するために微小光エンジンに出力電圧を選択的に接続するように適合された複数のスイッチ；
を有する。
【００１４】
本発明の他の特徴においては、スクロールバックライト装置は：
複数のライトガイド；
光を生成するように各々適合された複数の電子式光源；並びに
複数のライトガイドに電子式光源からの光を連続的に供給するための手段；
を有する。
【発明を実施するための最良の形態】
【００１５】
図１に示すように、各々のライトガイド１１０は、第１（例えば、水平）方向において長手方向に伸びている。一方、ライトガイド１１０は、第２（垂直）方向に沿って並列化されて（互いに隣り合って置かれて）いる。
【００１６】
図１に示す実施形態においては、複数のライトガイド１１０と複数の微小光エンジン１２０との間には一対一対応がある。従って、各々のライトガイド１１０は、ライトガイド１１０の２つの対向する端部に光を結合させるように適合された対応する対の微小光エンジンを有することが可能である。
【００１７】
図１に示すように、複数のスイッチ１４０の各々の第１端子は複数の微小光エンジン１２０の１つの電力入力端子に接続され、各々のスイッチ１４０の第２端子は電源１３０の電源出力端子に接続されている。スイッチ１４０の制御端子は制御器１５０の出力ラインに接続されている。
【００１８】
有利であることに、各々のスイッチ１４０は、例えば、トランジスタであって、特に、電界効果トランジスタのような電子式スイッチであることが可能である。そのような場合、スイッチング速度は、機械式又は電子機械式スイッチが使用される場合に比べて、著しく速くなることが可能である。又、図１の実施形態は、複数の微小光エンジン１２０と電源出力端子との間に接続された複数の単極単投スイッチを示しているが、それに代えて、制御器１５０の出力への適切な適合を伴って、１つの単極多投スイッチが使用されることが可能であることが理解されるであろう。
【００１９】
有利であることに、電源１３０は、電源出力端子に所望の電流を供給する電流電源である。更に有利であることに、電源は、パルス幅が調節された（ＰＷＭ）電圧波形を有する電力信号を電源出力端子に出力する。ＰＷＭ電圧のデューティサイクル／パルスを性格に制御することにより、電源１３０は、電源出力端子に正確に制御された電流を供給することができる。
【００２０】
各々の微小光エンジン１２０は電子式光源１２４と光結合デバイス１２８とを有する。
【００２１】
有利であることに、電子式光源１２４は、例えば、黄色の蛍光体を有する青色ＬＥＤ又は３色（例えば、赤色、緑色及び青色、即ちＲＧＢ）の蛍光体を有するＵＶ  ＬＥＤ若しくは３つ（例えば、ＲＧＢ）のＬＥＤのような、白色光を生じる蛍光体の発光ダイオード（ＬＥＤ）を有することが可能である。他の類似する構成を用いることが可能である。各々の微小光エンジン１２０は、好ましい強度を有する光を生成するために、必要に応じて、付加ＬＥＤ又はＬＥＤの組み合わせを有することが可能である。有利であることに、高輝度（例えば、５Ｗ）ＬＥＤを使用することができる。好適には、ＬＥＤは、ＣＣＦＬに比べて極めて速くオンに切り換えられ（例えば、＜１００ｎｓｅｃ）、そして比較的低い電圧供給（例えば、≦１５Ｖ）により動作する。
【００２２】
有利であることに、スクロールバックライト装置１００は、液晶ディスプレイ（ＬＣＤ）装置のようなディスプレイ装置に組み込まれることが可能である。１５インチＬＣＤ装置に対するスクロールバックライト装置は、６乃至８個の水平方向に広がったライトガイド１１０の集合を有することが可能であり、ライトガイド１１０は、水平方向に並列化されており、有利には、一般に、線形に間隔を置いて離れて並べられている。スクロールバックライト装置１００は、装置の視認方向に関してＬＣＤの背後に配置されることが可能である。
【００２３】
スクロールバックライト装置１００の動作について、下に説明する。
【００２４】
固定又は可変電流電源であることが可能である電源１３０は、各々のスイッチの一端部に接続された電源出力端子に電力信号を供給する。各々のスイッチ１４０の開状態／閉状態は、制御器１５０により対応する制御端子に供給される信号により決定される。スイッチ１４０が制御器１５０により閉状態にされるとき、電源出力端子は対応する微小光エンジン１２０の電力入力端子に接続される。微小光エンジン１２０の電力入力端子が電源に接続されるとき、電力信号（例えば、電流電源）がその微小光エンジン１２０の電子式光源１２４に供給される。電力信号に応じて、電気的光源１２４は光を生成する。一実施形態においては、微小光エンジン１２０は、電力信号（例えば、電流電源）に応じて光を生成するためにオンにされる１つ又はそれ以上のＬＥＤを有する。有利であることに、ＣＣＦＬの不所望の遅い応答時間とは対照的に、電子式光源１２４（及び、それ故、微小光エンジン１２０）の応答時間は非常に速い（例えば、＜１００ｎｓｅｃ）である。
【００２５】
電子式光源１２４により生成された光は結合デバイス１２８に供給される。結合デバイス１２８は、次いで、ライトガイド１１０の対応する１つの端部に光を結合させる。
【００２６】
各々のライトガイド１１０に対して２つの微小光エンジン１２０がある場合、スイッチ１４０が制御器１５０により閉状態にされるとき、電源１３０の電源出力端子は、２つの対応する微小光エンジン１２０の電力入力端子に接続され、それ故、両方の微小光エンジン１２０における電子式光源１２４は光を生成する。２つの微小光エンジン１２０の結合デバイス１２８は、ライトガイド１１０の１つの対応する反対側の端部に光を結合させる。
【００２７】
それ故、スイッチ１４０の１つが閉状態にされるとき、ライトガイドの対応する１つは、１つ又はそれ以上の対応する微小光エンジン１２０からの光により照明される。従って、スイッチ１４０が閉状態にされるタイミング及びシーケンスの正確な制御により、制御器１５０はスクロール効果を実現することができる。
【００２８】
スクロールバックライト装置１００のスクロール動作について、下に説明する。
【００２９】
先ず、制御器１５０は、最上部ライトガイド１１０ａに関連するスイッチ１４０ａを閉状態にする。それに応じて、最上部ライトガイド１１０ａは、短い期間の間（例えば、２ｍｓｅｃ）、照明される。次いで、制御器１５０はスイッチ１４０ａを開状態にする一方、同時に又は略同時に、スイッチ１４０ｂを閉状態にする。それに応じて、最上部ライトガイド１１０ａはオフにされるか非照明され、同時に又は略同時に、最上部のライトガイド１１０ａのすぐ下の、次に最上部のライトガイド１１０ｂが照明される。ライトガイド１１０ｂは、最上部ライトガイド１１０ａと略同じ短い期間の間、照明されたまま保たれ、次いで、それは又、オフにされ又は非照明され、そして、それに代えて、そのすぐ下のライトガイド１１０ｃが照明され、以下同様に、その装置の上部から下部に繰り返される。これは、スクロールバックライト装置からの光が装置の上部から下部までスクロールされる効果をもたらす。最下部ライトガイド１１０ｎが、略同じ短い期間の間、照明された後、それはオフにされる一方、略同時に、最上部ライトガイド１１０ａが、再びそのパターンを繰り返すことにより、照明される。
【００３０】
一般に、スクロールバックライト装置１００が使用されるディスプレイ装置のカラー忠実度に不所望に影響を与えないために、スクロールバックライト装置１００により生成される光のスペクトル純度は重要である。同様に、スクロールバックライト装置１００により生成される光のカラーが、光が上部から下部までのスクロールされるにつれて、知覚的にカラー又は強度を変化させないことは重要である。従って、各々の微小光エンジン１２０により生成される光は、非常に厳密な照明帯域に入るように制御される。有利であることに、各々の微小光エンジン１２０からの光の特性は、電源１３０により供給される電力信号の電流レベルを変化させることにより調節されることが可能である。その場合、図１に示すように、制御信号は、各々の対応する微小光エンジン１２０のためのスイッチ１４０を接続及び非接続にする信号と同期状態で、電源出力端子に供給される電力信号の電流レベルを調節するために電源１３０に制御器１５０から供給されることが可能である。例えば、電力信号が、パルス幅を調節された（ＰＷＭ）電圧波形を有するとき、電流レベルは、ＰＷＭ波形のデューティサイクル（パルス幅）を変化させることにより調節されることが可能である。
【００３１】
例えば、較正処理は、上記のように、対象物の光のカラー及び強度の一致を達成するように各々の微小光エンジン１２０に供給される電力信号に対する所望の電流値を決定するために実行されることが可能である。次いで、データは、所望の電源出力電圧レベルをもたらすように、制御器に記憶されることが可能である。
【００３２】
有利であることに、図２に示す第２実施形態においては、各々の微小光エンジン１２０の光出力の色点及び強度が、電源１３０に関連する制御器１５０により制御されることが可能である。その場合、得られるべき基準色点及び強度を表すように各々の微小光エンジン１２０に各々の制御器１５０から、信号が供給されることが可能である。一方、図２に示すように、微小光エンジン１２０から制御器１５０へのフィードバック信号は、微小光エンジン１２０により生成される光の色点及び強度を表すことが可能である。この情報に応じて、制御器１５０は、所望の色点及び強度を達成するために電力信号の電流レベルを増加又は減少させるように電源１３０を制御する。例えば、電力信号がパルス幅を調節された（ＰＷＭ）電圧波形を有するとき、電流レベルは、ＰＷＭ波形のデューティサイクル（パルス幅）を変化させることにより調節されることが可能である。
【００３３】
スクロールバックライト装置１００においては、微小光エンジン１２０は、一の又は両方の装置の水平方向の端部に、若しくは類似する都合のよい位置に位置付けられることが可能である。有利であることに、スクロールバックライト装置１００が、ＬＣＤディスプレイのようなディスプレイ装置において使用されるとき、このことにより、上記のＣＣＦＬに基づくスクロールバックライト装置を用いる場合のように、ディスプレイパネルのすぐ背後に位置付けられる熱源を取り外すことができる。同様に、スクロールバックライト装置１００は、ディスプレイのすぐ背後の多くのＥＭＩを生じないようにすることができ、それ故、ＣＣＦＬに基づくスクロールバックライト装置に含まれるＥＭＩ遮蔽を削除することが可能である。更に、スクロールバックライト装置１００は、単一の電源１３０により動作させることができ、ＣＣＦＬに基づくスクロールバックライト装置により必要とされる多くの電力変換器を必要としない。
【００３４】
以上、好適な実施形態について開示したが、本発明の範囲及び主旨か逸脱することなく、多くの変形を実行することが可能である。例えば、一部の構成においては、電源及び／又は制御器は、スクロールバックライト装置の外部に位置付けられることが可能である。そのような変形については、本発明の最良の形態、図面及び同時提出の特許請求の範囲を精査した後、当業者に明らかになるであろう。本発明は、それ故、同時提出の特許請求の範囲における範囲及び主旨を除いて、限定されるものではない。
【図面の簡単な説明】
【００３５】
【図１】本発明の１つ又はそれ以上の特徴に従ったスクロールバックライト装置の第１実施形態を示す図である。
【図２】本発明の１つ又はそれ以上の特徴に従ったスクロールバックライト装置の第２実施形態を示す図である。
【図１】
2006510930.tif 000003
【図２】
2006510930.tif 000004
【国際調査報告】
2006510930.tif 000005
2006510930.tif 000006
2006510930.tif 000007
2006510930.tif 000008